(57)【要約】      （修正有）【課題】先祖代々が続く永い年月のうちに骨壺が納め切らなくなるというような不都合が解消されるとともに、古くなった骨壺を帰骨地穴に都合良く納めることができる石積墓標を提供する。【解決手段】納骨室１に２段又は多段の納骨棚を設置するとともに、その下に古い遺骨を土１１に帰すための深い帰骨地穴３を設けてある石積墓標Ｐにおいて、納骨棚５の下段の棚板に、帰骨地穴が直下にある位置に開口する切欠口を設けるとともに、切欠口にそれを常時閉塞する蓋板を取り外し可能に嵌着し、該切欠口は、納骨棚の上で古くなった骨壺を帰骨地穴に落とし込む通し口になると同時に、落とし込んだ遺骨を骨壺１０と共に底土に棒突きする破砕作業を可能とする大きさに形成されている。【選択図】図１
0003146203.tif 000002
【実用新案登録請求の範囲】
【請求項１】
納骨室に２段又は多段の納骨棚を設置するとともに、その下に古い遺骨を土に帰すための深い帰骨地穴を設けてある石積墓標において、納骨棚の下段の棚板に、帰骨地穴が直下にある位置に開口する切欠口を設けるとともに、切欠口にそれを常時閉塞する蓋板を取り外し可能に嵌着し、該切欠口は、納骨棚の上で古くなった骨壺を帰骨地穴に落とし込む通し口になると同時に、落とし込んだ遺骨を骨壺と共に底土に棒突きする破砕作業を可能とする大きさに形成されていることを特徴とする石積墓標における納骨室。
【考案の詳細な説明】
【技術分野】
【０００１】
この考案は、地面に石を積み上げて組み立てられる墓、つまり石積墓標における納骨室に関する。
【背景技術】
【０００２】
石積墓標としての墓は、一般的に根太石、唐戸石、笠石、土台石、棹石等を順次積み重ねて組み立てられ、唐戸石が中をくり抜かれて納骨室となっており、その前面に納骨口が設けられ、そこに納骨扉が嵌められているので、納骨の際には、その扉を開いて、納骨口から手を差し入れながら骨壺が納められる。この納骨室は、古くから納骨室の底部となる根太石ないし唐戸石等をくり抜いて地面の上に骨壺が納められるように構成されることが多かった。これは、「遺骨はいずれは土に戻す」という古くからの宗教的な思想に基づくものであった。
【０００３】
一方、現在では、遺骨を湿らせると故人に申し訳ないというような心遣いや衛生的な観点から、また、高さがほゞ同じ向かいに礼拝位置をとるために、納骨室に１段または２段の納骨棚を設け、その上に載せて納骨することが多くなっている。この場合は、下面が根太石等の石であったり、土であっても押し固められているので、「土に戻す」という考えをとられていないと言える。また、納骨棚を納骨扉（蓋材）と一体に組み、扉を開くと同時に納骨棚が引き出されるようにした石積墓標の提案もある（特許文献１）。
【特許文献１】実開平６−４７５３２号公報
【考案の開示】
【考案が解決しようとする課題】
【０００４】
納骨棚を多段になし、その下に遺骨を土に帰す帰骨地穴を設けるならば、骨壺の収容量が多くなり、先祖代々が続く家では好都合である。しかし、帰骨地穴を前提とすると、棚で上下間が窮屈となるので、下段の棚が支えて下の帰骨地穴の利用に不都合となる。また、棚が納骨扉と一体である石積墓標であると、納骨棚が外へ引き出されるので、骨壺を載せたり下ろす作業や、並べ替えには好都合であるが、下に骨壺を最終的に納める帰骨地穴を設ける構造に適しなかった。いずれにしても、従来においては、骨壷を納骨室へ出し入れするには、腹這いになって行なわねばならず、女性や老人にとっては大変な作業であった。
【０００５】
この考案は、上記のような実情に鑑みて、納骨室に納骨棚を多段に設けるにもかかわらず、帰骨地穴に骨壺を最終的に移し変える操作を、老若男女を問わず、腹這いなどにならずとも容易になしうることができるばかりか、骨壺の収納量が多くなり、先祖代々が続く永い年月のうちに骨壺が納め切らなくなるというような不都合が解消されるとともに、古くなった骨壺を帰骨地穴に都合良く納めることができる石積墓標を提供することを課題とした。
【課題を解決するための手段】
【０００６】
この考案は、上記の課題を解決するために、納骨室に２段又は多段の納骨棚を設置するとともに、その下に古い遺骨を土に帰すための深い帰骨地穴を設けてある石積墓標において、納骨棚の下段の棚板に、帰骨地穴が直下にある位置に開口する切欠口を設けるとともに、切欠口にそれを常時閉塞する蓋板を取り外し可能に嵌着し、該切欠口は、納骨棚の上で古くなった骨壺を帰骨地穴に落とし込む通し口になると同時に、落とし込んだ遺骨を骨壺と共に底土に棒突きする破砕作業を可能とする大きさに形成されていることを特徴とする石積墓標における納骨室を提供するものである。
【考案の効果】
【０００７】
以上説明したように、この考案の石積墓標における納骨室によれば、納骨室に納骨棚を２段又は多段に設けたために帰骨地穴との間が窮屈な内部構造となったとしても、下段の棚板が一部切欠口として帰骨地穴の上に開口できるので、老若男女を問わず、腹這いなどにならずとも容易に納骨室に骨壷を納めることができる。
【０００８】
さらに、本考案の納骨棚には、上記した切欠口と蓋板とを設けたので、帰骨地穴に骨壺を落とし込んだり、遺骨を砕く障害にならず、永代つづく多数の遺骨を不都合なく納めることができるとともに、遺骨をいずれは土に帰すという古来からの思想の実践もなし得るという優れた効果がある。
【考案を実施するための最良の形態】
【０００９】
次に、この考案の実施形態を図面に基づいて説明する。
【００１０】
図１および図２は一実施の形態を示したもので、石積墓標Ｐにおける納骨室１には、底面に帰骨地穴３が設けられ、その上を跨ぐように納骨棚５が載置される。
【００１１】
石積墓標Ｐは、下から根太石７，唐戸石８，笠石９が積まれることにより納骨室１を有する納骨堂６が構築される。納骨堂６の前面に納骨口が設けられ、納骨口に扉１３，１３が納められるので、納骨口を開くと、納骨室１には礼拝高さ位置に納骨棚５があり、その下に底面が土１１である帰骨地穴３が見える。
【００１２】
納骨棚５は、石の板材等で組み立てられ、左右の側板１５，１５と、下段の棚板１７と、上段の棚板１９等からなり、側板１５，１５の上端に相対向して段部２１，２１を設け、その段部２１，２１に下段の棚板１７を掛け止めてある。また、上段の棚板１９は、両側板１５，１５の上に載って前後スライド可能となっており、その手段として、両側板１５，１５の上に、前後間にわたって数個の（６個ずつに）スライド受け転子２３，２３，・・が配列されている。そのスライド受け転子２３には、一般に使用される戸車を使用しそれを埋設してある。
【００１３】
また、上段の棚板１９には、左右両端部に一対ずつガイドピン２０，２０の差込み孔２２，２２を設けてあって、ガイドピン２０，２０が左右側板１５，１５の上端内縁に係合するように取り付けられる。これによって上段の棚板１９が外れることなく前後へ真っ直ぐにスライドする。２４がその際の手掛けであって窪みに形成される。
【００１４】
下段の棚板１７は、側板１５，１５の前半部に位置して固定されており、その左右幅の中央部において前端に開口する切欠口２７が設けられ、切欠口２７に蓋板２９が取り外し可能に嵌着される。これには、切欠口２７の内周面を段差形状に形成することにより、下に蓋板２９を受ける段突部３１を形成し、蓋板２９の外周には段突部３１に係る段欠部３３が形成される。
【００１５】
帰骨地穴３は、根太石７の中央部を抉ることにより設けられ、そのため、帰骨地穴３の底面が大地の土１１である。その帰骨地穴３を跨ぐようにして根太石７の上に納骨棚５が置かれている。なお、帰骨地穴３の土１１から湿気が上がるのを防止するために、石やステンレス等の耐久性のある蓋（図示省略）で帰骨地穴３を常時封じておくこともできる。
【００１６】
骨壺１０は、上段の棚板１９、下段の棚板１７、帰骨地穴３と順次古くなる順に移動するのを原則とする。したがって、最初に納骨をするときには、下段の棚板１７の上に上段の棚板１９が載るように手前（図２に二点鎖線で示す位置）に引いておき、その上段の棚板１９の上に骨壺１０を置き、この上段が一杯になったときには、図示の如く上段の棚板１９を奥へ押して後ろへ位置を替え、引かれた下段の棚板１７の上に次の骨壺１０を置く。そして、末代に下段の棚板１７も満杯となったときには、上段の棚板１９にある一部の骨壺１０を帰骨地穴３に移すとともに、下段の棚板１７にある一部の骨壺１０を上段の棚板１９に移す。
【００１７】
骨壺１０のこのような位置替えの際に、帰骨地穴３に骨壺１０を納入するときには、このままでは下段の棚板１７に骨壺１０がつかえるために入れることができない。これは納骨室１の高さに限度があるので、下段の棚板１７と根太石７との間に多くの空間を取れないからである。しかし、蓋板２９を外すと、下段の棚板１７の切欠口２７が帰骨地穴３の上に開かれるので、その切欠口２７から骨壺１０を容易に落とし込むことができる。
【００１８】
帰骨地穴３に納めた骨壺１０は、そのままにしてあっても良いが、普通には既に誰の遺骨であるかも確かめられない程度に古くなっており、土に帰すために未練なく突き棒で砕いておくという方法をとることもできる。
【００１９】
図３は、別の実施形態を示したもので、その石積墓標における納骨室１における帰骨地穴３は、前記実施形態と同じく根太石７を抉って設けられているが、納骨棚５については、下段の棚板１７が高さ中位に設けられ奥行きを広くなしてあり、また、切欠口２７も奥行きを設けた形状となっている。このように、切欠口２７の形状は半円に限定されるものではない。
【図面の簡単な説明】
【００２０】
【図１】この考案に係る一実施形態を示す石積墓標を一部切欠して示す斜視図である。
【図２】同石積墓標における納骨室の内部を示す斜視図である。
【図３】他の実施形態を示す図２に対応する斜視図である。
【符号の説明】
【００２１】
Ｐ  石積墓標
１  納骨室
３  帰骨地穴
５  納骨棚
１０  骨壺
１１  土
１７  下段の棚板
１９  上段の棚板
２７  切欠口
２９  蓋板
【図１】
0003146203.tif 000003
【図２】
0003146203.tif 000004
【図３】
0003146203.tif 000005